(57)【要約】【課題】コンピューティング装置を提供する。【解決手段】コンピューティング装置は、少なくとも１つのロック素子を含むスロットが配置される。このロック素子は、取り外し可能な汎用グラフィック処理ユニット支持装置を受けるように配置される。汎用グラフィック処理ユニット支持装置は、第１の汎用グラフィック処理ユニットを固定するための第１の収納空間、及び第２の汎用グラフィック処理ユニットを固定するための第２の収納空間を含むブラケットを備える。汎用グラフィック処理ユニット支持装置は、ブラケットに接続され、コンピューティング装置の少なくとも１つのロック素子を少なくとも１つのロック素子に対応する少なくとも１つの固定素子に固定するように配置され、レバーを作動させる時に少なくとも１つの固定素子を作動させるように配置される複数のギアドライブに接続されるレバーを含むロック構造を更に備える。【選択図】図３
2019087232.tif 000002
【特許請求の範囲】
【請求項１】
少なくとも１つのロック素子を含む少なくとも１つのスロットと、
前記ロック素子により受けられ、前記少なくとも１つのスロットに取り外し可能に挿入されるための汎用グラフィック処理ユニット支持装置と、
を備えたコンピューティング装置であって、
前記汎用グラフィック処理ユニット支持装置は、
第１の汎用グラフィック処理ユニットを固定するための第１の収納空間、及び第２の汎用グラフィック処理ユニットを固定するための第２の収納空間を含むブラケットと、
前記コンピューティング装置の前記少なくとも１つのロック素子を前記少なくとも１つのロック素子に対応する少なくとも１つの固定素子に固定するように前記ブラケットに接続され、複数のギアドライブに接続されるレバーを含み、前記ギアドライブが前記レバーを作動させる時に前記少なくとも１つの固定素子を作動させるように配置されるロック構造と、を有するコンピューティング装置。
【請求項２】
留め具、ネジ及びスポット溶接の少なくとも１つによって前記ブラケットに固定されるフレームを更に備える請求項１に記載のコンピューティング装置。
【請求項３】
前記汎用グラフィック処理ユニット支持装置は、前記少なくとも１つのスロット内に位置する対応する少なくとも１つのガイドピンを受けるように配置される少なくとも１つの受け素子を更に含む請求項１に記載のコンピューティング装置。
【請求項４】
前記ロック構造は、バネ及びロックスイッチを有するハンドルを更に含む請求項１に記載のコンピューティング装置。
【請求項５】
前記汎用グラフィック処理ユニット支持装置が前記少なくとも１つのスロット内に固定される場合、前記バネ及びロックスイッチは、前記コンピューティング装置の対応する前記ロック素子に接合される請求項４に記載のコンピューティング装置。
【請求項６】
前記バネ及びロックスイッチを対応する前記ロック素子から離脱させて、前記ロック構造を離脱させる請求項５に記載のコンピューティング装置。
【請求項７】
前記ロック構造を離脱させることは、前記コンピューティング装置の前記少なくとも１つのロック素子を前記少なくとも１つの固定素子から離脱させることを含む請求項６に記載のコンピューティング装置。
【請求項８】
汎用グラフィック処理ユニット支持装置であって、
第１の汎用グラフィック処理ユニットを固定するための第１の収納空間、及び第２の汎用グラフィック処理ユニットを固定するための第２の収納空間を含むブラケットと、
コンピューティング装置の少なくとも１つのロック素子を前記少なくとも１つのロック素子に対応する前記汎用グラフィック処理ユニット支持装置の少なくとも１つの固定素子に固定するように前記ブラケットに接続され、複数のギアドライブに接続されるレバーを含み、前記レバーを作動させる時に前記少なくとも１つの固定素子を作動させるように配置されるロック構造と、
を備える汎用グラフィック処理ユニット支持装置。
【請求項９】
前記コンピューティング装置内に位置する対応する少なくとも１つのガイドピンを受けるように配置される少なくとも１つの受け素子を更に備える請求項８に記載の汎用グラフィック処理ユニット支持装置。
【請求項１０】
前記ロック構造は、バネ及びロックスイッチを有するハンドルを更に含む請求項８に記載の汎用グラフィック処理ユニット支持装置。
【発明の詳細な説明】
【技術分野】
【０００１】
本開示は、汎用グラフィック処理ユニット（ｇｅｎｅｒａｌ  ｐｕｒｐｏｓｅ  ｇｒａｐｈｉｃ  ｐｒｏｃｅｓｓｉｎｇ  ｕｎｉｔ；ＧＰＧＰＵ）支持装置に関し、より具体的には、集中型とツールレスの汎用グラフィック処理ユニット支持装置に関する。
【背景技術】
【０００２】
汎用グラフィック処理装置は、通常、中央処理装置（ｃｅｎｔｒａｌ  ｐｒｏｃｅｓｓｉｎｇ  ｕｎｉｔ；ＣＰＵ）によって伝統的に処理されるアプリケーションにおいて計算を実行する。各チップの専門化のために、単一のグラフィック処理ユニット及び単一の中央処理装置（ｓｉｎｇｌｅ  ＧＰＵ−ＣＰＵ）のアーキテクチャでさえ、複数の中央処理装置の提供できない利点を提供することができる。グラフィック処理ユニットは、より低い周波数で動作するが、通常、より多くの倍数のコアを有する。従って、グラフィック処理ユニットは、従来の中央処理ユニットよりも速く画像及びグラフィックデータに対して処理することができる。データをグラフィック形態に変換した後で、グラフィック処理ユニットによってスキャンして解析することで、強力な加速が得られる。コンピュータアーキテクチャにおいて、加速は、同じ問題を処理する２つのシステムの間のパフォーマンスを向上させるプロセスである。より具体的には、これは、異なるリソースを有する２つの類似なアーキテクチャで実行されるタスクの実行速度の増加である。
【発明の概要】
【発明が解決しようとする課題】
【０００３】
現在の多種類のコンピュータシステムから汎用グラフィック処理ユニットを取り外すには、ツールを必要とし、ケーブルをケーブルソケットから引き出す必要がある。時間の経過又は誤使用により、これらのケーブルやソケットが脆くなり、使用中の汎用グラフィック処理ユニットの関連するデータ伝送にエラーが発生する可能性がある。汎用グラフィック処理ユニットの取り付けは、同様の困難を伴うため、簡単な作業ではない。
【０００４】
また、コンピューターデータセンター（ｃｏｍｐｕｔｅｒ  ｄａｔａ  ｃｅｎｔｅｒ）（インターネットデータセンター（Ｉｎｔｅｒｎｅｔ  ｄａｔａ  ｃｅｎｔｅｒ）又は企業データセンター（ｅｎｔｅｒｐｒｉｓｅ  ｄａｔａ  ｃｅｎｔｅｒ）とも呼ばれる）は、様々な汎用グラフィック処理ユニットを利用する無数のコンピューターシステムを含む。データセンター内の多数の大容量の汎用グラフィック処理ユニットは、取り外しや取り付けに関する重大な問題を引き起こす。データセンターで損害なしに汎用グラフィック処理ユニットの取り外しや取り付けをしようとすれば、かかる時間及び技術も面倒になる。
【０００５】
従って、様々な理由（例えば、一般的に汎用グラフィック処理ユニットのデータバックアップ）のために、汎用グラフィック処理ユニットをコンピュータシステムに対する取り外し又は取り付けをより容易で、迅速且つ効率的にすることが非常に重要になっている。
【課題を解決するための手段】
【０００６】
本開示の一部の実施例によれば、少なくとも１つのロック素子を含む少なくとも１つのスロットと、前記ロック素子により受けられ、少なくとも１つのスロットに取り外し可能に挿入されるための汎用グラフィック処理ユニット支持装置と、を備えたコンピューティング装置であって、前記汎用グラフィック処理ユニット支持装置は、第１の汎用グラフィック処理ユニットを固定するための第１の収納空間、及び第２の汎用グラフィック処理ユニットを固定するための第２の収納空間を含むブラケットと、コンピューティング装置の少なくとも１つのロック素子を少なくとも１つのロック素子に対応する少なくとも１つの固定素子に固定するようにブラケットに接続され、複数のギアドライブに接続されるレバーを含み、ギアドライブがレバーを作動させる時に少なくとも１つの固定素子を作動させるように配置されるロック構造と、を有するコンピューティング装置を提供する。
【０００７】
本開示の一部の実施例によれば、汎用グラフィック処理ユニット支持装置は、留め具、ネジ及びスポット溶接の少なくとも１つによってブラケットに固定されるフレームを更に備える。
【０００８】
本開示の一部の実施例によれば、汎用グラフィック処理ユニット支持装置は、少なくとも１つのスロット内に位置する対応する少なくとも１つのガイドピンを受けるように配置される少なくとも１つの受け素子を更に含む。
【０００９】
本開示の一部の実施例によれば、ロック構造は、バネ及びロックスイッチを有するハンドルを更に含む。
【００１０】
本開示の一部の実施例によれば、汎用グラフィック処理ユニット支持装置が少なくとも１つのスロット内に固定される場合、バネ及びロックスイッチがコンピューティング装置の対応するロック素子に接合される。
【００１１】
本開示の一部の実施例によれば、バネ及びロックスイッチを対応するロック素子から離脱させて、ロック構造を離脱させる。
【００１２】
本開示の一部の実施例によれば、ロック構造を離脱させることは、コンピューティング装置の少なくとも１つのロック素子を少なくとも１つの固定素子から離脱させることを含む。
【００１３】
本開示の一部の実施例によれば、汎用グラフィック処理ユニット支持装置であって、第１の汎用グラフィック処理ユニットを固定するための第１の収納空間、及び第２の汎用グラフィック処理ユニットを固定するための第２の収納空間を含むブラケットと、コンピューティング装置の少なくとも１つのロック素子を少なくとも１つのロック素子と対応する汎用グラフィック処理ユニット支持装置の少なくとも１つの固定素子に固定するようにブラケットに接続され、複数のギアドライブに接続されるレバーを含み、前記レバーを作動させる時に少なくとも１つの固定素子を作動させるように配置されるロック構造と、を備える汎用グラフィック処理ユニット支持装置を提供する。
【００１４】
本開示の一部の実施例によれば、汎用グラフィック処理ユニット支持装置は、留め具、ネジ及びスポット溶接の少なくとも１つによってブラケットに固定されるフレームを更に含む。
【００１５】
本開示の一部の実施例によれば、汎用グラフィック処理ユニット支持装置は、コンピューティング装置内に位置する対応する少なくとも１つのガイドピンを受けるように配置される少なくとも１つの受け素子を更に備える。
【００１６】
本開示の一部の実施例によれば、ロック構造は、バネ及びロックスイッチを有するハンドルを更に含む。
【００１７】
本開示の一部の実施例によれば、汎用グラフィック処理ユニット支持装置が少なくとも１つのスロット内に固定される場合、バネ及びロックスイッチがコンピューティング装置の対応するロック素子に接合される。
【００１８】
本開示の一部の実施例によれば、バネ及びロックスイッチを対応するロック素子から離脱させて、ロック構造を離脱させる。
【００１９】
本開示の一部の実施例によれば、ロック構造を離脱させることは、コンピューティング装置の少なくとも１つのロック素子を少なくとも１つの固定素子から離脱させることを含む。
【図面の簡単な説明】
【００２０】
【図１】本開示の一実施例に係る汎用グラフィック処理ユニット支持装置を示す上面等角図である。
【図２Ａ】図１における汎用グラフィック処理ユニット支持装置を示す上面等角図であり、一実施例に基づいて第１の汎用グラフィック処理ユニット及び第２の汎用グラフィック処理ユニットを取り付ける。
【図２Ｂ】一実施例による図１の汎用グラフィック処理ユニット支持装置を示す底面図である。
【図２Ｃ】一実施例による図１の汎用グラフィック処理ユニット支持装置を示す側面図である。
【図３】一実施例による図１と図２の汎用グラフィック処理ユニット支持装置がマザーボード内のスロットに挿入されることを示す。
【図４】汎用グラフィック処理ユニット支持装置のラッチ構造とスロットのロック素子との接合を示す詳細図である。
【図５】汎用グラフィック処理ユニット支持装置のラッチ構造をスロットのロック素子に固定する過程を示す。
【図６】図１の汎用グラフィック処理ユニット支持装置をコンピューティング装置のマザーボードのスロット内に固定することを示す。
【図７】汎用グラフィック処理ユニット支持装置のラッチ構造をスロットのロック素子に固定することを示す。
【図８】汎用グラフィック処理ユニット支持装置のラッチ構造がスロットのロック素子から解除される過程を示す。
【図９】汎用グラフィック処理ユニット支持装置のラッチ構造をコンピューティング装置のマザーボード内のスロットから取り除くことを示す。
【図１０】図１の汎用グラフィック処理ユニット支持装置をコンピューティング装置のマザーボードのスロット内に固定することを示す。
【発明を実施するための形態】
【００２１】
添付図面を参照して本開示を説明し、全部の添付図面において、同一又は同等の要素には同じ参照番号が使用される。添付図面は比例に従って描かれたものではなく、単に本開示を説明するためのものである。以下、説明するための例示的な適用を参照して、本開示の幾つかの態様を説明する。理解すべきなのは、本開示を完全的に理解させるために、多くの具体的な細部、関係及び方法を説明する。しかし、当業者であれば、何れの１つ又は複数の具体的な詳細がなくても、又は他の方法によって本開示を実施することもできることは、容易に認識される。他の場合では、本開示を不明確にしないように、公知の構造や操作は詳しく示されていない。ある操作が異なる順序で生じ及び/又は他の操作又は工程と同時に起こる可能性があるため、本開示は、示された操作又は工程の順序に限定されない。また、本開示の方法によると、図示された操作又は工程を全て実行する必要はない。
【００２２】
上記のように、コンピューターシステムにおける汎用グラフィック処理ユニットを効果的且つ信頼的に取り付け又は取り外すための方法に対して、非常に期待される。特に、開発については、以下のようなことが非常に期待される。（１）ツールを利用せずに汎用グラフィック処理ユニットをコンピューターシステムに取り付けることができる。（２）汎用グラフィック処理ユニットのコンピューターシステムにおける空間ニーズをできる限り減少させる。（３）上記の状況により汎用グラフィック処理ユニット、コンピューターシステム又は両者の間のコネクタの損害を引き起こす可能性があるため、間違った汎用グラフィック処理ユニットの取り付けを減少し又はなくす。
【００２３】
前記内容に鑑みて、本開示では、コンピューターシステムに用いられる汎用グラフィック処理ユニット支持装置の設計、及び上記のニーズに対応するコンピューターシステムが考慮される。具体的に、本開示では、以下のことが考慮される。（１）技術者が汎用グラフィック処理ユニット支持装置に汎用グラフィック処理ユニットを容易且つ確実に取り付けることを可能にする汎用グラフィック処理ユニット支持装置の設計である。（２）技術者が最小限の努力や訓練だけでコンピュータシステム内に汎用グラフィック処理ユニットの機械的及び電気的な設置を行うことを可能にする、コンピュータシステムに用いられる対応するドライブスロット設計である。これらの設計を図１〜図１０に示す。本開示は、複数の汎用グラフィック処理ユニットの支持に向けるが、単一の支持装置内で組み合わせ可能な任意の部材まで及ばれてもよい。ある部材を類似的なブラケットに配置できるため、サーバーのスペースを節約することができる。また、類似的な素子を本開示に記載されたのと同じブラケット内で接続すると、支持の素子を切断せずにメンテナンスをすることができる。
【００２４】
図１は、本開示の一実施例に係る汎用グラフィック処理ユニット支持装置１００を示す上面等角図である。図１に示すように、汎用グラフィック処理ユニット支持装置１００は、第１の収納空間１０４Ａ及び第２の収納空間１０４Ｂを有するブラケット１０２を含む。第１の収納空間１０４Ａは、第１の汎用グラフィック処理ユニット１２０を収納することができる。第１の汎用グラフィック処理ユニット１２０は、方向５０に沿って第１の収納空間１０４Ａに挿入されることができる。第２の収納空間１０４Ｂは、第２の汎用グラフィック処理ユニット１３０を収納することができる。第２の汎用グラフィック処理ユニット１３０は、方向５１に沿って第２の収納空間１０４Ｂに挿入されることができる。汎用グラフィック処理ユニット支持装置１００は、フレーム１０５を更に含んでよい。フレーム１０５は、既知の接続装置によってブラケット１０２に接続されてよい。例えば、フレーム１０５は、留め具、ネジ又はスポット溶接によってブラケット１０２に固定されてよい。ある実施例において、フレーム１０５及びブラケット１０２は、例えば、プラスチック、金属、セラミック及び他の高品質の３Ｄ印刷素材等の材料で製造されてよい。
【００２５】
汎用グラフィック処理ユニット支持装置１００及びその素子は、例えば、曲げ、成形、スタンピング等の従来の金属製作技術によって金属シートで製造されてよい。従って、汎用グラフィック処理ユニット支持装置１００は、非常に安く製造されることができる。或いは、汎用グラフィック処理ユニット支持装置１００及びその素子は、アルミニウム合金、鋼合金又はそれらの任意の組み合わせで製造されてよい。理解すべきなのは、汎用グラフィック処理ユニット支持装置１００及びその素子は、温度変化や高速の気流（未図示の複数のファンモジュールから由来）に耐えられる如何なる材料で構成されてよい。上記の材料は、単なる例であり、本開示を限定するものではない。当業者であれば、本開示によって任意の材料を柔軟的に選択することができる。
【００２６】
図２Ａ、図２Ｂと図２Ｃは、１つの実施例における第１の汎用グラフィック処理ユニット１２０及び第２の汎用グラフィック処理ユニット１３０が取り付けられる汎用グラフィック処理ユニット支持装置１００を示す例示的な実施例を示す。図２Ｂの例示的な配置において、ロック構造（ｌｏｃｋｉｎｇ  ｍｅｃｈａｎｉｓｍ）２００は、汎用グラフィック処理ユニット支持装置１００に位置してよい。ロック構造２００は、ラッチ構造（ｌａｔｃｈ  ｍｅｃｈａｎｉｓｍ）を含んでよい。このラッチ構造は、レバー１５０及びハンドル１４０を有する。ハンドル１４０は、留め具、ネジ又はスポット溶接によってレバー１５０に固定される。留め具、ネジ又はスポット溶接は、ピボットポイント１５１に位置してよい。ハンドル１４０は、ロックスイッチ１４１を含んでよい。ある実施例において、ロックスイッチ１４１は、バネラッチを含んでよい。ロック構造２００は、レバー１５０に接続される一連のギア１６０Ａ、ギア１６０Ｂ、ギア１６０Ｃ及びギア１６０Ｄを更に含んでよい。ロック構造２００は、受け素子１７０Ａ及び受け素子１７０Ｂを更に含んでよく、コンピューティング装置内で汎用グラフィック処理ユニット支持装置１００を位置合わせするように配置される（以下に検討される）。ギア１６０Ｂ及びギア１６０Ｄは、汎用グラフィック処理ユニット支持装置１００をコンピューティング装置内（以下に検討される）に固定するように配置されるギアピン１６１Ａ及びギアピン１６１Ｂを含んでよい。
【００２７】
ある実施例において、ギア１６０Ａ及びギア１６０Ｃは、ラック１４９（図３に示す）によってレバー１５０に機械的に接続されてよい。具体的に、ラック１４９（図３に示す）は、ギア１６０Ａ及びギア１６０Ｃに接続される初期歯を含んでよい。ギア１６０Ａは、ラック１４９（図３に示す）によってギア１６０Ｃに接続されてよい。ギア１６０Ｂ及びギア１６０Ｄは、ギア１６０Ａ及びギア１６０Ｃに直接接続されてよい。ギア１６０Ａ及びギア１６０Ｃは、受け素子１７０Ａ及び受け素子１７０Ｂに機械的に接続されてよい。従って、レバー１５０がハンドル１４０により回動する場合、ギア１６０Ａ及びギア１６０Ｃは、作動されてギア１６０Ｂ及びギア１６０Ｄを駆動させる。ギア１６０Ｂ及びギア１６０Ｄは、それぞれギアピン１６１Ａ及びギアピン１６１Ｂを含んでよい。ギア１６０Ｂ及びギア１６０Ｄを作動させる場合、ロック構造は、汎用グラフィック処理ユニット支持装置１００をコンピューティング装置内に固定するようにロックされてよい（以下のように）。注意すべきなのは、ロック構造は、ここに記載の素子に限定されない。また、ロック構造は、本分野で既知される他の如何なる機械的特徴を含んでよい。従って、汎用グラフィック処理ユニット支持装置１００がサーバー装置（未図示）内に取り付けられる場合、第１の汎用グラフィック処理ユニット１２０及び第２の汎用グラフィック処理ユニット１３０（図１参照）は、マザーボードに接続されてよい（以下に検討される）。
【００２８】
図３は、図１、図２Ａ、図２Ｂと図２Ｃの汎用グラフィック処理ユニット支持装置１００を示し、１つの実施例によってマザーボード３００内のスロット３０１に挿入される。マザーボード３００は、第１の汎用グラフィック処理ユニット１２０及び第２の汎用グラフィック処理ユニット１３０（図１から）の何れも取り付けられる場合、汎用グラフィック処理ユニット支持装置１００を受けるように配置されるスロット３０１を含む。汎用グラフィック処理ユニット支持装置１００は、方向７０に沿ってスロット３０１に滑り入る。ガイドピン３０３Ａとガイドピン３０３Ｂを使って、汎用グラフィック処理ユニット支持装置１００をスロット３０１内で整列してよい。スロット３０１は、ガイドピン３０３Ａとガイドピン３０３Ｂを受け素子１７０Ａ及び受け素子１７０Ｂに揃えて、汎用グラフィック処理ユニット支持装置１００を受ける。マザーボード３００は、マザーボード３００から垂直に凸出するように配置される凸出部３０４Ａと凸出部３０４Ｂを更に含んでよい。凸出部３０４Ａと凸出部３０４Ｂは、それぞれ固定素子３０５Ａと固定素子３０５Ｂを含んでよい。固定素子３０５Ａと固定素子３０５Ｂは、対応するギアピン１６１Ａ及びギアピン１６１Ｂを固定するように配置される。
【００２９】
例えば、汎用グラフィック処理ユニット支持装置１００がスロット３０１に挿入される場合、ガイドピン３０３Ａとガイドピン３０３Ｂは、受け素子１７０Ａ及び受け素子１７０Ｂを接合することに用いられてよい。ある実施例において、受け素子１７０Ａ及び受け素子１７０Ｂは、ガイドピン３０３Ａとガイドピン３０３Ｂを受ける受容空間を含んでよい。適切に受け素子１７０Ａ及び受け素子１７０Ｂとガイドピン３０３Ａとガイドピン３０３Ｂを揃えることにより、ロック構造２００を作動させてギアピン１６１Ａ及びギアピン１６１Ｂが凸出部３０４Ａと凸出部３０４Ｂの固定素子３０５Ａと固定素子３０５Ｂと互いにロックされるように駆動させる。レバー１５０がハンドル１４０により回動される場合、ギア１６０Ａ及びギア１６０Ｃは、ギア１６０Ｂ及びギア１６０Ｄを駆動させるように作動されてよい。固定素子３０５Ａと固定素子３０５Ｂ内で互いにロックするように、ギア１６０Ｂ及びギア１６０Ｄに位置するギアピン１６１Ａ及びギアピン１６１Ｂは回動できる。従って、レバー１５０を回動させる場合、ロック構造２００は、汎用グラフィック処理ユニット支持装置１００をコンピューティング装置内に固定してよい。
【００３０】
ギアピン１６１Ａ及びギアピン１６１Ｂと固定素子３０５Ａ及び固定素子３０５Ｂが互いにロックされると、汎用グラフィック処理ユニット支持装置１００は、しっかりマザーボード３００に接続される。これは図４〜図７でより詳しく検討される。この接続は汎用グラフィック処理ユニット支持装置１００内に取り付けられる第１の汎用グラフィック処理ユニット及び第２の汎用グラフィック処理ユニットの間のマザーボード３００との電気接続に寄与する。
【００３１】
図４は、ギアピン１６１Ａ及びギアピン１６１Ｂ（図３から）と固定素子３０５Ａ及び固定素子３０５Ｂの接合によりアンロック位置にある汎用グラフィック処理ユニット支持装置１００のロック構造２００を示す。本開示のある実施例において、ロック構造２００は、ロック構造２００がロック位置で接合され又は離れて（以下により詳しく検討される）から原始位置即ちアンロック位置に戻るように、バネによって付勢されてよい。ロック構造２００は、レバー１５０とハンドル１４０を有するラッチ構造を含んでよい。ハンドル１４０は、ロックスイッチ１４１を含んでよい。
【００３２】
図５〜図７は、汎用グラフィック処理ユニット支持装置１００のロック構造２００をマザーボード３００のスロット３０１内に固定する過程を示す。より詳しく、図５は、汎用グラフィック処理ユニット支持装置１００のロック構造２００がマザーボード３００のスロット３０１（図３に示す）内に固定する過程を示す。図６は、既にマザーボード３００のスロット３０１（図３に示す）内に固定された汎用グラフィック処理ユニット支持装置１００のロック構造２００を示す。最後、図７は、既にマザーボード３００のロック素子３０２に固定された汎用グラフィック処理ユニット支持装置１００のロックスイッチ１４１を示す。レバー１５０は、ハンドル１４０によって水平（ロック）位置に引かれることができる。ある実施例において、技術者は初期取付、修理過程又は交換期間にハンドル１４０を作動させることができる。方向６１に沿って下へハンドル１４０を引く時に、レバーは、方向８１に引かれてロック構造２００（図２Ａ、図２Ｂと図２Ｃに検討されるように）を作動させる。ロック構造２００を作動させる場合、ロックスイッチ１４１は、対応するロック素子３０２に接合されてよい。ロックスイッチ１４１は、レバー１５０が水平位置にある場合対応するロック素子３０２に接合するように配置されるバネラッチであってよい。バネラッチが解除される場合、ロックスイッチ１４１は、対応するロック素子３０２から離れる。
【００３３】
ロック構造２００は、対応するロック素子３０２に接合される場合、ロック位置にある。しかしながら、本開示のロックスイッチ１４１は、いかなる他のタイプの構造を使用してよい。また、実施例における汎用グラフィック処理ユニット支持装置１００は、ハンドル１４０に位置する単一のロックスイッチ１４１が示されるが、本開示はロックスイッチの数と位置を変化した実施例も含む。例えば、ロックスイッチは、ロック位置にあるハンドル１４０の遠端に位置してよい。
【００３４】
図８〜図９は、マザーボード３００のスロット３０１から汎用グラフィック処理ユニット支持装置１００のロック構造２００を解除させる過程を示す。より詳しく、図８は、マザーボード３００のスロット３０１から汎用グラフィック処理ユニット支持装置１００のロック構造２００を解除させる過程を示す。図９は、既にマザーボード３００のスロット３０１から解除された汎用グラフィック処理ユニット支持装置１００のロック構造２００を示す。バネラッチが解除されると、ロックスイッチ１４１は対応するロック素子３０２から離れる。本開示のある実施例において、ロック構造２００は、ロック素子３０２から離れてからアンロック位置に戻るように、バネによって付勢されてよい。従って、レバー１５０は、ロックスイッチ１４１によって垂直（アンロック）位置へ解除されることができる。ロック素子３０２から離れる場合、ハンドル１４０は、方向９１に沿って移動することができる。
【００３５】
ロック構造２００は、スロット３０１から離れるように解除されてよい。スロット３０１から離れる場合、レバー１５０は、ギア１６０Ａ及びギア１６０Ｃ（図２Ｂに示す）を駆動させることができる。ギア１６０Ｂ及びギア１６０Ｄ（図２Ｂに示す）は、固定素子３０５Ａと固定素子３０５Ｂからギアピン１６１Ａ及びギアピン１６１Ｂを解除するように、ギア１６０Ａ及びギア１６０Ｃ（図２Ｂに示す）によって駆動されることができる。従って、レバー１５０がハンドル１４０によって方向９１に沿って回動して汎用グラフィック処理ユニット支持装置１００をマザーボード３００から解除する場合、ギア１６０Ａ及びギア１６０Ｃ（図２Ｂと図２Ｃ中に示す）は作動されることができる。ギア１６０Ａ及びギア１６０Ｃを作動させる場合、ギア１６０Ｂ及びギア１６０Ｄを駆動してギアピン１６１Ａ及びギアピン１６１Ｂを解除することができる。ロックスイッチ１４１を解除する場合、ギアピン１６１Ａ及びギアピン１６１Ｂが対応する固定素子３０５Ａと固定素子３０５Ｂから離れる。対応する固定素子３０５Ａと固定素子３０５Ｂから離れる場合、ロック構造２００は、アンロック位置にある。且つ、汎用グラフィック処理ユニット支持装置１００は、方向９０に沿ってマザーボード３００のスロット３０１から取り外されることができる。
【００３６】
図１０は、コンピューティング装置１０００のマザーボード３００内のスロット（未図示）に挿入される汎用グラフィック処理ユニット支持装置１００（図１）を示す。以上、汎用グラフィック処理ユニット支持装置１００の配置と操作を既に説明したので、ここに汎用グラフィック処理ユニット支持装置１００を受けるためのマザーボードスロットの配置と操作を説明する。一実施例によれば、第１の汎用グラフィック処理ユニット及び第２の汎用グラフィック処理ユニットが設けられる汎用グラフィック処理ユニット支持装置１００は、ロック位置に配置される。コンピューティング装置１０００は、スタンドアロンコンピューター、サーバー又は任意の他のコンピューティング装置であってよい。
【００３７】
この配置において、汎用グラフィック処理ユニット支持装置１００の受け素子１７０Ａ及び受け素子１７０Ｂとマザーボード３００のガイドピン３０３Ａ及びガイドピン３０３Ｂの相互作用によって、汎用グラフィック処理ユニット支持装置１００のコネクタ（未図示）をマザーボードのコネクタ（未図示）に接合させる。注意すべきなのは、ある実施例において、汎用グラフィック処理ユニット支持装置１００のギアピン１６１Ａ、ギアピン１６１Ｂ（図９から）とマザーボード３００の固定素子３０５Ａ、固定素子３０５Ｂを解除しても、コネクタを切断することができない。従って、技術者が汎用グラフィック処理ユニット支持装置１００とマザーボード３００を切断することなく第１の汎用グラフィック処理ユニット又は第２の汎用グラフィック処理ユニットを修理することを可能にする。
【００３８】
以上、本開示の様々な実施例を説明したが、それらは例示のみを目的としたものであり、限定的なものではないことを理解されたい。本発明の精神又は範囲から逸脱しない限り、本明細書に開示された実施例に従って多様の変更を加えてもよい。従って、本開示の広さや範囲は、上記の実施例の何れによっても制限されるべきではない。代わりに、本開示の範囲は、添付の特許請求の範囲及びそれらの等価物によって定義されるべきである。
【００３９】
１つ又は複数の実施形態に関して本開示を説明し記載したが、本明細書及び添付図面を読んで理解すると、当業者であれば、同等の変更や修正を想到する可能性がある。更に、本発明の特定の素子は、幾つかの実施のうちの１つのみに関して開示されているかもしれないが、そのような素子は、他の実施例の１つ又は複数の他の素子と組み合わされてもよく、これは、任意の与えられたか又は特定の用途にとって望ましい及び有利である。
【００４０】
ここに使用する用語は、特定の実施例のみを説明するためのものであり、本発明を限定するものではない。本明細書で使用されるように、単数形「一」、「１つ」と「この」は、上下文で別に明確に指示されない限り、複数形も含むことが意図される。また、「備える」、「有する」、「ある」又はそれらの変形が、詳細な説明及び/又は請求項において使用される限り、そのような用語は、用語「含む」と同様の態様を包含することが意図される。
【００４１】
別に定義されない限り、ここに使用される全ての用語（技術用語及び科学用語を含む）は、当業者によって一般的に理解されるのと同じ意味を有する。例えば、辞書に一般的に使用されているような用語は、関連分野の文脈における意味と一致する意味を有すると解釈されるべきであり、明確に定義されていない限り、理想化された又は過度に形態的な意味として理解されない。
【００４２】
本開示の実施例は、集中型とツールレスの汎用グラフィック処理ユニット支持装置に関する。コンピューティング装置にスロットが設けられ、このスロットが取り外し可能な汎用グラフィック処理ユニット支持装置の少なくとも１つのロック素子を受けるように配置される。汎用グラフィック処理ユニット支持装置は、第１の汎用グラフィック処理ユニットを固定するための第１の収納空間及び第２の汎用グラフィック処理ユニットを固定するための第２の収納空間を有するブラケットを含んでよい。汎用グラフィック処理ユニット支持装置は、ブラケットに接続され、コンピューティング装置の少なくとも１つのロック素子をこの少なくとも１つのロック素子の少なくとも１つに対応する固定素子に固定するように配置されるロック構造を更に含んでよい。ロック構造は、ギアドライブに接続されるレバーを含んでよく、このギアドライブがレバーを駆動させる時に少なくとも１つの固定素子を作動させるように配置される。
【００４３】
コンピューティング装置の例示的な実施例において、フレームは、留め具、ネジ及びスポット溶接の少なくとも１つによってブラケットに固定される。コンピューティング装置のある実施例において、汎用グラフィック処理ユニット支持装置は、高速周辺機器相互接続標準（ｐｅｒｉｐｈｅｒａｌ  ｃｏｍｐｏｎｅｎｔ  ｉｎｔｅｒｃｏｎｎｅｃｔ  ｅｘｐｒｅｓｓ；ＰＣＩｅ）ケーブルに接続される高速周辺機器相互接続標準インターフェースを更に含む。
【００４４】
ある実施例において、ロック構造は、バネ及びロックスイッチを有するハンドルを更に含む。ある実施例において、汎用グラフィック処理ユニット支持装置を少なくとも１つのスロット内に固定する場合、バネ及びロックスイッチはコンピューティング装置の対応するロック素子に接合される。ある実施例において、バネ及びロックスイッチを対応するロック素子から離脱させて、ロック構造を離脱させるようにする。ある実施例において、ロック構造を離脱させることは、コンピューティング装置の少なくとも１つのロック素子を少なくとも１つの固定素子から離脱させることを含む。
【符号の説明】
【００４５】
５０、５１、６１、７０、８１、９０、９１  方向
１００  汎用グラフィック処理ユニット支持装置
１０２  ブラケット
１０４Ａ  第１の収納空間
１０４Ｂ  第２の収納空間
１０５  フレーム
１２０  第１の汎用グラフィック処理ユニット
１３０  第２の汎用グラフィック処理ユニット
１４０  ハンドル
１４１  ロックスイッチ
１４９  ラック
１５０  レバー
１５１  ピボットポイント
１６０Ａ、１６０Ｂ、１６０Ｃ、１６０Ｄ  ギア
１６１Ａ、１６１Ｂ  ギアピン
１７０Ａ、１７０Ｂ  受け素子
２００  ロック構造
３００  マザーボード
３０１  スロット
３０２  ロック素子
３０３Ａ、３０３Ｂ  ガイドピン
３０４Ａ、３０４Ｂ  凸出部
３０５Ａ、３０５Ｂ  固定素子
１０００  コンピューティング装置
【図１】
2019087232.tif 000003
【図２Ａ】
2019087232.tif 000004
【図２Ｂ】
2019087232.tif 000005
【図２Ｃ】
2019087232.tif 000006
【図３】
2019087232.tif 000007
【図４】
2019087232.tif 000008
【図５】
2019087232.tif 000009
【図６】
2019087232.tif 000010
【図７】
2019087232.tif 000011
【図８】
2019087232.tif 000012
【図９】
2019087232.tif 000013
【図１０】
2019087232.tif 000014